(57)【要約】【課題】高齢者や身体障害者、乳幼児を抱えた人などがエレベータを利用する場合に快適に利用できるようにする。【解決手段】エレベータは、昇降路内を昇降する乗りかご１と、乗りかご１内の壁面に折りたたみ自在に設けられた椅子１０と、椅子１０が折りたたまれた状態か展開した状態かを検出するセンサ１１と、制御装置９と、を有する。制御装置９は、椅子１０の状態が変化したことがセンサ１１によって検出されたときから所定時間が経過するまでの間、乗りかご１の戸開時間が長くなるように制御する。さらに、戸開時間を制御するほか、乗りかご１の速度または加速度が制限値を超えないように制御してもよい。【選択図】図１
2008019078.tif 000002
【特許請求の範囲】
【請求項１】
昇降路内を昇降する乗りかごと、
前記乗りかご内の壁面に折りたたみ自在に設けられた椅子と、
前記椅子が折りたたまれた状態か展開した状態かを検出するセンサと、
前記椅子の状態が変化したことが前記センサによって検出されたときから所定時間が経過するまでの間、前記乗りかごの戸開時間が長くなるように制御する制御装置と、
を有することを特徴とするエレベータ。
【請求項２】
前記乗りかごの速度および加速度のうちの少なくとも一方が制限値を超えないように制御する制御装置を有することを特徴とする請求項１に記載のエレベータ。
【請求項３】
昇降路内を昇降する乗りかごと、
前記乗りかご内に設けられ、乳幼児を載置できるベビーチェアと、
前記ベビーチェアに乳幼児が載置されたことを検出するセンサと、
前記ベビーチェアに乳幼児が載置されたことが前記センサによって検出されたときに前記かご内で音を出す音声出力装置と、
を有することを特徴とするエレベータ。
【請求項４】
前記ベビーチェアが前記乗りかご内のコーナーに設けられていることを特徴とする請求項３に記載のエレベータ。
【請求項５】
前記音は乳幼児向けの音楽であることを特徴とする請求項３に記載のエレベータ。
【発明の詳細な説明】
【技術分野】
【０００１】
本発明は、高齢者や身体障害者、または乳幼児を伴ったエレベータ利用者などのエレベータ利用者にとっての、快適性、利便性および安全性を図ったエレベータに関するものである。
【背景技術】
【０００２】
高齢者、身体障害者や乳幼児を抱いた人などがエレベータに乗っている間に腰掛ける椅子があると便利である。また、乳幼児を伴った人がエレベータに乗っているときに乳幼児を座らせる椅子があると楽であり、便利な場合がある。このような要求に応えるべく、エレベータ内に折りたたみ式の椅子を設置する技術が知られている（特許文献１参照）。
【特許文献１】特開２００２−６０１６９号公報
【発明の開示】
【発明が解決しようとする課題】
【０００３】
しかしながら、高齢者、身体障害者や乳幼児を抱いた人などがエレベータ内で特許文献１の折りたたみ式椅子を展開したり折りたたんだりという操作をする場合、不安定な姿勢での操作が必要であるので、その操作中にエレベータが動き出すとバランスを崩してよろけたり転倒したりする可能性がある。また、特許文献１に記載の椅子においては、乳幼児を座らせることには特に配慮されておらず、乳幼児にとって愉快なものではない。
【０００４】
本発明は、上記の課題を解決するためになされたもので、その目的は、高齢者や身体障害者、乳幼児を抱えた人などが快適にエレベータを利用できるようにすることである。
【課題を解決するための手段】
【０００５】
上記目的を達成するため、本発明によるエレベータにおいては、昇降路内を昇降する乗りかごと、前記乗りかご内の壁面に折りたたみ自在に設けられた椅子と、前記椅子が折りたたまれた状態か展開した状態かを検出するセンサと、前記椅子の状態が変化したことが前記センサによって検出されたときから所定時間が経過するまでの間、前記乗りかごの戸開時間が長くなるように制御する制御装置と、を有することを特徴とする。
【０００６】
また、本発明のエレベータにおいては、昇降路内を昇降する乗りかごと、前記乗りかご内に設けられ、乳幼児を載置できるベビーチェアと、前記ベビーチェアに乳幼児が載置されたことを検出するセンサと、前記ベビーチェアに乳幼児が載置されたことが前記センサによって検出されたときに前記かご内で音を出す音声出力装置と、を有することを特徴とする。
【発明の効果】
【０００７】
本発明によれば、高齢者や身体障害者、乳幼児を抱えた人にとって快適なエレベータが提供される。
【発明を実施するための最良の形態】
【０００８】
［第１の実施形態］
本発明の第１の実施形態によるエレベータを、図１〜図４を参照して説明する。図１は、本発明の第１の実施形態によるエレベータを示す概略図であり、図２は図１のエレベータで用いられる折りたたみ式椅子を収納した状態を示す斜視図、図３は図２の折りたたみ式椅子を示す側面図、図４は図２、図３の折りたたみ式椅子を展開した状態を示す側面図である。
【０００９】
図１において、昇降路（図示せず）内には、乗りかご１が昇降するようになっており、乗りかご１は、巻上機２によって駆動されるシーブ３によりロープ４を介して釣り合い重り５との釣り合いによって昇降されるようになっている。乗りかご１には乗りかごドア１ａが取り付けられ、乗りかご１内には、かご内操作盤６、音声出力装置７、折りたたみ式椅子１０などが設けられている。
【００１０】
かご内操作盤６の操作信号は制御装置９に出力され、図示しない乗り場操作盤などの操作信号とともに制御装置９を介して乗りかご１を昇降制御するようになっている。乗りかご１は必要なフロアの乗り場で停止し、乗りかご１が停止している間に図示しない乗り場ドアおよび乗りかごドア１ａが係合しながら開閉して利用者の乗り降りが可能である。制御装置９は、音声出力装置７や図示しない乗り場出力装置などに信号を出力して乗りかご１の制御状態（たとえば、ドアの開閉や現在の階床など）を報知するようになっている。
【００１１】
一方、本発明に係る椅子１０は、図２、図３および図４に示すように、人が腰掛ける平板状の座板２０を有する。座板２０は、蝶番２１を介して乗りかご１の壁面パネル１ｂに取り付けられ、座板２０が約９０度の範囲で回動できるようになっている。座板２０には突出部３０が形成されている。この椅子１０を展開するときに突出部３０が壁面パネル１ｂと干渉しないように、壁面パネル１ｂに窪み３１が形成され、椅子１０を完全に展開したときに突出部３０が当接する位置にストッパ３２が配置されている。
【００１２】
椅子１０が収納状態（折りたたみ状態）にあるときは、図２および図３に示すように、座板２０が壁面パネル１ｂに沿って鉛直上方に向かって延びており、座板２０の突出部３０は壁面パネル１ｂの窪み３１の外側で下方に延びている。このとき壁面パネル１ｂから大きく突出している部分がないので、椅子１０が邪魔にならない。
【００１３】
椅子１０を使用するときは、図４に示すように座板２０を下方に９０度回動して展開する。このとき、突出部３０が窪み３１内に入り込んでストッパ３２によって止まる。人が椅子１０に腰掛けるとき、座板２０にかかる荷重は、蝶番２１とストッパ３２によって支持される。
【００１４】
椅子１０の使用後は、座板２０の先端を壁面パネル１ｂに向かって引き上げると、図２および図３に示す収納状態に戻る。
【００１５】
なお、椅子１０が収納状態にあるときに重力によって不用意に座板２０が落ちてくるのを防ぐために、たとえば座板２０の上面先端部に永久磁石（図示せず）を取り付け、収納状態のときにこの永久磁石と接する位置の壁面パネル１ｂに鉄板（図示せず）を固定しておくこともできる。このほかの例としては、収納状態でフック（図示せず）などにより座板２０を壁面パネル１ｂに固定してもよい。
【００１６】
椅子１０の収納状態で座板２０の上面に対向する壁面パネル１ｂの位置には、椅子１０が収納状態から展開状態に変化した際、および収納状態から展開状態に変化した際に、信号を出力する磁気式センサ、リミットスイッチなどのセンサ１１が設けられており、このセンサ１１による椅子１０の展開信号が制御装置９に出力されるようになっている。制御装置９は、センサ１１からの信号に基づいて椅子１０が収納状態から展開状態に変化したと判断された場合に、再び収納状態に戻ってから所定時間が経過するまでの間、かごドア１ａおよび乗り場ドアの戸開時間が通常よりも長くなるように（エレベータ停止時間も長くなるように）切り換え制御するようになっている。
【００１７】
たとえば高齢者などがエレベータを利用し、乗りかご１に乗ってかご内操作盤６の目的階ボタンを操作した後に、椅子１０を使用するためにこの椅子１０を展開すると、センサ１１が信号を出力して制御装置９を介して乗りかご１の戸開時間を長くし、また、乗りかご１の昇降開始が遅くなる制御が行なわれる。このため、高齢者などは、緩慢な動作であっても慌てたりよろめいたりすることなく、椅子１０に着座できることになる。また乗りかご１が行先階に到着したときに、椅子１０から立ち上がってこの椅子１０を収納状態に変化させたとしても、所定時間が経過するまでは戸開時間が長い状態が維持されるので、慌てたりよろめいたりすることなく椅子１０から立ち上がって椅子１０を収納する動作を行なうことができる。
【００１８】
また、戸開時間の制御に加え、乗りかごの速度あるいは加速度が所定値を超えないように制御することもできる。これによって、高齢者などに与える負担を軽減することができ、より快適なエレベータが提供できる。
【００１９】
なお、以上の説明では椅子１０が収納状態と展開状態との間で状態変化したときから所定時間後までの間、戸開時間が長くなるものとしたが、他の制御方法として、椅子１０が展開状態にあるときのみに戸開時間を長くすることも可能である。
【００２０】
図１に示す例では、センサ１１からの信号に基づいて、乗りかごドアや乗りかごの昇降などを乗りかご１の外に置かれた制御装置９によって制御するとしたが、乗りかご１の昇降やドアの開閉などを制御する制御装置９とは別に、たとえば乗りかごドア制御のための専用の制御装置を乗りかご１内に配置してもよい。
【００２１】
以上の実施形態により、高齢者などが乗りかご１内の折りたたみ式椅子１０を安全に利用することができる。なお、折りたたみ式椅子１０をかご内操作盤６の近傍に設けておけば、さらに利便性および安全性を向上させることができる。
【００２２】
［第２の実施形態］
次に、図５および図６を参照しながら本発明に係るエレベータの第２の実施形態について説明する。ここで、第１の実施形態と同一または類似の部分には共通の符号を付して、重複説明は省略する。図５は本発明の第２実施形態によるエレベータの概略図である。図６は図５のエレベータで用いられるベビーチェアの例を示す図であって、（ａ）、（ｂ）および（ｃ）はそれぞれ、正面図、平面図および側面図である。
【００２３】
この実施形態では、第１の実施形態の折りたたみ式の椅子の代わりに、乗りかご１内の背面または側面の壁面パネルにベビーチェアが設けられている。
【００２４】
ベビーチェア８は、乗りかご１のコーナーまたは側壁部に取り付けられている。図６に示すように、ベビーチェア８は、乗りかご１の床に立設された支柱部８ａと、支柱部８ａの上部に設けられ、水平方向にＵ字状をなす背もたれ部８ｂと、背もたれ部８ｂに軸８ｃを介して回動自在に支持された着座部８ｄとを有している。ベビーチェア８の着座部８ｄは、展開状態で前方に飛び出して位置し、この状態で乳幼児を着座部８ｄ上に載置することによって背もたれ部８ｂとの間で乳幼児を安全に支えることができるようになっている。乳幼児を載置しない場合には、着座部８ｄを背もたれ部８ｂ側に接近した位置に回動させて収納状態に保持できるようになっている。
【００２５】
このようなベビーチェア８としては、たとえば東陶機器株式会社から市販されている洗面所用のベビーチェアを利用することもでき、支柱部８ａおよび背もたれ部８ｂを乗りかご１内のコーナーや側壁部に固定することによって乗りかご１内に乗客の乗降の支障とならないように容易に設けることができる。
【００２６】
このベビーチェア８には、背もたれ部８ｂまたは着座部８ｄに、乳幼児の着座部８ｄへの載置を検出できる、光電式センサ、超音波式センサ、リミットスイッチ式センサあるいは荷重センサなどからなるセンサ８ｅが設けられており、センサ８ｅによる乳幼児の載置検出信号は、制御装置９に出力されるようになっている。そして制御装置９は、センサ８ｅからの乳幼児載置検出信号に基づき、音声出力装置７から子守唄などの音楽を流すようになっている。
【００２７】
なお図５に示す例では、音声出力装置７は、かご内操作盤６の近傍に設けられているが、これとは別にベビーチェア８に第２の音声出力装置を設けておいて、子守唄などの音楽のみ、第２の音声出力装置から流すようにすることもできる。また、センサ８ｅからの信号に基づいて音声出力装置７を制御するための制御装置は、乗りかご１の昇降やドアの開閉などを制御する制御装置９とは別に、たとえば乗りかご１内に配置してもよい。
【００２８】
この実施形態によれば、乳幼児を伴った保護者がエレベータを利用する際にベビーチェア８を使用し、ベビーチェア８の着座部８ｄに乳幼児を跨がせるように載置することによって、乳幼児を安全に支えることができるとともに、その際に流れる音楽などによって乳幼児に安心感を与えることができて利便性・快適性を向上することができる。しかもベビーチェア８は乗りかご１内のコーナーに設けられているので、他の乗客に対して乗降動作の支障になることもない。
【００２９】
以上、具体的な実施形態について説明したが、これらは単なる例示であって、この発明はこれらの実施形態に限定されるものではない。
【図面の簡単な説明】
【００３０】
【図１】本発明の第１の実施形態によるエレベータを示す概略構成図である。
【図２】図１のエレベータで用いられる折りたたみ式椅子を収納した状態を示す斜視図である。
【図３】図２の椅子を収納した状態を示す側面図である。
【図４】図２および図３の折りたたみ式椅子を展開した状態を示す側面図である。
【図５】本発明の第２の実施形態によるエレベータを示す概略構成図である。
【図６】図５のエレベータで用いられるベビーチェアの例を示す図であって、（ａ）は正面図、（ｂ）は平面図、（ｃ）は側面図である。
【符号の説明】
【００３１】
１…乗りかご
１ａ…かごドア
１ｂ…壁面パネル
２…巻上機
３…シーブ
４…ロープ
５…釣り合い重り
６…かご内操作盤
７…音声出力装置
８…ベビーチェア
８ａ…支柱部
８ｂ…背もたれ部
８ｃ…軸
８ｄ…着座部
８ｅ…センサ
９…制御装置
１０…椅子
１１…センサ
２０…座板
２１…蝶番
３０…突出部
３１…窪み
３２…ストッパ
【図１】
2008019078.tif 000003
【図２】
2008019078.tif 000004
【図３】
2008019078.tif 000005
【図４】
2008019078.tif 000006
【図５】
2008019078.tif 000007
【図６】
2008019078.tif 000008